(57)【要約】      （修正有）【課題】構造が簡単で、省スペースで、コストが低く、動作時間が短く、ゴミや塵など異物が記録紙を汚ことなく、装置の寿命を下げことなくメンテナンスが行われるインクジェット記録装置の提供。【解決手段】ローラにベルト７を懸架して記録媒体を搬送する複数の搬送手段の間に記録紙をガイドする搬送方向面と略垂直に開閉可能なガイド部９を設け、ヘッドメンテナンス手段２０１をガイド部９を挟んで記録ヘッド１０１の吐出口に対向する位置に配置し、ガイド部９が閉状態で記録媒体が搬送され、ガイド部９が開状態でメンテナンスが行われる。メンテナンス終了後、ガイド部９は閉状態に戻され、再び記録媒体が搬送される。【選択図】        図２
2006256023.tif 000002
【特許請求の範囲】
【請求項１】
インクを吐出する複数の吐出口を有する記録ヘッドから吐出されたインクで記録媒体に画像を形成するインクジェット記録装置において、
ローラにベルトを懸架し前記記録媒体を搬送する搬送手段と、
記録媒体を前記搬送手段にガイドする記録媒体搬送方向面に対して略垂直に開閉可能なガイド部と、
前記ガイド部を開閉するガイド部材移動手段と、
前記記録ヘッドの回復処理を行うヘッドメンテナンス手段とを有し、
前記ヘッドメンテナンス手段は、前記ガイド部材が開状態で前記記録ヘッドの吐出口に対向する位置に設置されていることを特徴とするインクジェット記録装置。
【請求項２】
インクを吐出する複数の吐出口を有する記録ヘッドから吐出されたインクで記録媒体に画像を形成するインクジェット記録装置において、
ローラにベルトを懸架し前記記録媒体を搬送する搬送手段と、
前記搬送手段に搬送された前記記録媒体をガイドする記録媒体搬送方向面に対して略垂直に開閉可能なガイド部と、
前記ガイド部を開閉するガイド部材移動手段と、
前記記録ヘッドの回復処理を行うヘッドメンテナンス手段とを有し、
前記ヘッドメンテナンス手段は、前記ガイド部材が開状態で前記記録ヘッドの吐出口に対向する位置に設置されていることを特徴とするインクジェット記録装置。
【請求項３】
インクを吐出する複数の吐出口を有する記録ヘッドから吐出されたインクで記録媒体に画像を形成するインクジェット記録装置において、
ローラにベルトを懸架し前記記録媒体を搬送する搬送手段と、
前記搬送手段を挟んで前記記録ヘッドの吐出口に対向する位置に設置されていて、前記記録ヘッドの回復処理を行うヘッドメンテナンス手段と、
前記ヘッドメンテナンス手段は、前記搬送手段のローラの少なくとも一方のローラを搬送方向上流側又は下流側に移動することで前記記録ヘッドと前記ヘッドメンテナンス手段との間を開放状態とする移動手段を有することを特徴とするインクジェット記録装置。
【請求項４】
インクを吐出する複数の吐出口を有する記録ヘッドから吐出されたインクで記録媒体に画像を形成するインクジェット記録装置において、
ローラにベルトを懸架し前記記録媒体を搬送する搬送手段と、
前記搬送手段を挟んで前記記録ヘッドの吐出口と反対側の位置に設置されていて、前記記録ヘッドの回復処理を行うヘッドメンテナンス手段と、
前記搬送手段の一方のローラを軸として他方のローラを回動させることで前記記録ヘッドと前記ヘッドメンテナンス手段との間を開放状態とする移動手段を有することを特徴とするインクジェット記録装置。
【請求項５】
搬送手段を少なくとも２つ有し、
第２の搬送手段は、前記第２の搬送手段よりも上流側にある第１の搬送手段よりも低い位置に設置されていることを特徴とする請求項１乃至４の何れか１項に記載のインクジェット記録装置。
【請求項６】
前記ヘッドメンテナンス手段は、前記記録ヘッドの吐出口からインクを吐出させる回復処理を行うことを特徴とする請求項１乃至５の何れか１項に記載のインクジェット記録装置。
【請求項７】
前記ヘッドメンテナンス手段は、前記記録ヘッドの吐出口を大気から密閉する回復処理を行うことを特徴とする請求項１乃至６の何れか１項に記載のインクジェット記録装置。
【請求項８】
前記ヘッドメンテナンス手段は、前記記録ヘッドの吐出口からインクを吸引する回復処理を行うことを特徴とする請求項１乃至７の何れか１項に記載のインクジェット記録装置。
【請求項９】
前記ヘッドメンテナンス手段は、前記記録ヘッドの吐出口の面をローラまたはブレードで払拭する回復処理を行うことを特徴とする請求項１乃至８の何れか１項に記載のインクジェット記録装置。
【発明の詳細な説明】
【技術分野】
【０００１】
本発明は、ラインヘッド方式のインクジェット記録装置に関する。
【背景技術】
【０００２】
近年、インクジェット記録方式は簡便・安価に画像を作成できるため、写真、各種印刷、マーキング、カラーフィルター等の特殊印刷など、様々な印刷分野に応用されてきている。
【０００３】
そして、インクジェットプリンタには、ヘッドを用紙幅方向に往復移動させ間欠的に用紙を搬送しながら印字を行うシリアル印字方式と、用紙幅方向全域に亘りノズルを配列しヘッドを固定して印字を行うラインヘッド方式があり、両方式ともノズルが気泡や異物等で詰まることがあるためノズルのメンテナンスが必要となっている。
【０００４】
本発明と同様のラインヘッド方式を採用しているインクジェットプリンタとして、メンテナンス時にヘッドを印字位置から退避させるインクジェットプリンタが提案されてきた（例えば、特許文献１参照）。
【０００５】
また、搬送ラインに沿って用紙を搬送するための搬送ベルトに、搬送ラインの下方に屈曲する屈曲部を形成し、その屈曲部分の空間内に、プリント位置のプリントヘッドから回復処理のために吐出されるインクを受ける吸収体を備えたインクジェットプリンタが提案されてきた（例えば、特許文献２参照）。
【０００６】
さらに、搬送ベルトの一部を開口し、ベルト内部にメンテナンスユニットを設置し、開口部がヘッドの下にきたときにヘッドのメンテナンスを行うインクジェットプリンタが知られている（例えば、特許文献３参照）。
【特許文献１】特許第３４３９２０６号公報
【特許文献２】特開平１１−３４８３１３号公報
【特許文献３】特許第２６９３２２４号公報
【発明の開示】
【発明が解決しようとする課題】
【０００７】
しかしながら、ヘッドとメンテナンスユニットの移動を伴う場合、構造が複雑になり、コスト高で、メンテナンスユニットの退避スペースも必要で装置が大型化する。メンテナンス時間に移動時間が加算されるので時間がかかる。
【０００８】
また、ベルトを折り返して空いたスペースにメンテナンスユニットを設置する場合、折り返しの部分が多く、ベルトの蛇行が発生し、屈曲数が多いのでベルトの寿命が低下する。メンテナンスユニットがベルトの上に設置されているのでインクがベルト上に漏れる恐れがある。
【０００９】
さらに、ベルトに開口を設け、開口がヘッドの下に来たときにメンテナンスを行う場合、ベルトが歪み、搬送できなくなる恐れがあるし、開口部から亀裂が発生することもある。
【００１０】
しかも、ヘッドを上下移動する場合、水頭圧が変動し、メニスカスがブレイクする恐れがあった。
【００１１】
そこで本発明は、構造が簡単で、省スペースで、コストが低く、動作時間が短く、ゴミや塵など異物が記録紙を汚ことなく、装置の寿命を下げることなくメンテナンスが行われるインクジェット記録装置を提供することを目的とする。
【課題を解決するための手段】
【００１２】
請求項１に係る発明は、
インクを吐出する複数の吐出口を有する記録ヘッドから吐出されたインクで記録媒体に画像を形成するインクジェット記録装置において、
ローラにベルトを懸架し前記記録媒体を搬送する搬送手段と、
記録媒体を前記搬送手段にガイドする記録媒体搬送方向面に対して略垂直に開閉可能なガイド部と、
前記ガイド部を開閉するガイド部材移動手段と、
前記記録ヘッドの回復処理を行うヘッドメンテナンス手段とを有し、
前記ヘッドメンテナンス手段は、前記ガイド部材が開状態で前記記録ヘッドの吐出口に対向する位置に設置されていることを特徴とするインクジェット記録装置である。
【００１３】
請求項２に係る発明は、
インクを吐出する複数の吐出口を有する記録ヘッドから吐出されたインクで記録媒体に画像を形成するインクジェット記録装置において、
ローラにベルトを懸架し前記記録媒体を搬送する搬送手段と、
前記搬送手段に搬送された前記記録媒体をガイドする記録媒体搬送方向面に対して略垂直に開閉可能なガイド部と、
前記ガイド部を開閉するガイド部材移動手段と、
前記記録ヘッドの回復処理を行うヘッドメンテナンス手段とを有し、
前記ヘッドメンテナンス手段は、前記ガイド部材が開状態で前記記録ヘッドの吐出口に対向する位置に設置されていることを特徴とするインクジェット記録装置である。
【００１４】
請求項３に係る発明は、
インクを吐出する複数の吐出口を有する記録ヘッドから吐出されたインクで記録媒体に画像を形成するインクジェット記録装置において、
ローラにベルトを懸架し前記記録媒体を搬送する搬送手段と、
前記搬送手段を挟んで前記記録ヘッドの吐出口に対向する位置に設置されていて、前記記録ヘッドの回復処理を行うヘッドメンテナンス手段と、
前記ヘッドメンテナンス手段は、前記搬送手段のローラの少なくとも一方のローラを搬送方向上流側又は下流側に移動することで前記記録ヘッドと前記ヘッドメンテナンス手段との間を開放状態とする移動手段を有することを特徴とするインクジェット記録装置である。
【００１５】
請求項４に係る発明は、
インクを吐出する複数の吐出口を有する記録ヘッドから吐出されたインクで記録媒体に画像を形成するインクジェット記録装置において、
ローラにベルトを懸架し前記記録媒体を搬送する搬送手段と、
前記搬送手段を挟んで前記記録ヘッドの吐出口と反対側の位置に設置されていて、前記記録ヘッドの回復処理を行うヘッドメンテナンス手段と、
前記搬送手段の一方のローラを軸として他方のローラを回動させることで前記記録ヘッドと前記ヘッドメンテナンス手段との間を開放状態とする移動手段を有することを特徴とするインクジェット記録装置である。
【００１６】
請求項５に係る発明は、
搬送手段を少なくとも２つ有し、
第２の搬送手段は、前記第２の搬送手段よりも上流側にある第１の搬送手段よりも低い位置に設置されていることを特徴とする請求項１乃至４の何れか１項に記載のインクジェット記録装置である。
【００１７】
請求項６に係る発明は、
前記ヘッドメンテナンス手段は、前記記録ヘッドの吐出口からインクを吐出させる回復処理を行うことを特徴とする請求項１乃至５の何れか１項に記載のインクジェット記録装置である。
【００１８】
請求項７に係る発明は、
前記ヘッドメンテナンス手段は、前記記録ヘッドの吐出口を大気から密閉する回復処理を行うことを特徴とする請求項１乃至６の何れか１項に記載のインクジェット記録装置である。
【００１９】
請求項８に係る発明は、
前記ヘッドメンテナンス手段は、前記記録ヘッドの吐出口からインクを吸引する回復処理を行うことを特徴とする請求項１乃至７の何れか１項に記載のインクジェット記録装置である。
【００２０】
請求項９に係る発明は、
前記ヘッドメンテナンス手段は、前記記録ヘッドの吐出口の面をローラまたはブレードで払拭する回復処理を行うことを特徴とする請求項１乃至８の何れか１項に記載のインクジェット記録装置である。
【発明の効果】
【００２１】
請求項１及び２に記載の発明によれば、前記ヘッドメンテナンス手段は、前記ガイド部挟んで前記記録ヘッドに対向する位置に設置されているので、ガイド部を開いたとき、空間が設けられてヘッドメンテナンスが可能となり、それ以外の時はガイド部を閉じることで、記録紙の搬送が行える。記録ヘッドを移動せず、ヘッドメンテナンス手段を記録ヘッドに近づけてメンテナンスを行うことで記録ヘッドのインク水頭値に影響を与えないのでインクが飛び散ったり、メニスカスブレイクを発生させない。また、インクのチューブ配管を固定できるので、チューブの折れ曲がりが起こらない。さらに配管に金属材料を用いることが可能となりエアーの混入が防止できる。ヘッドメンテナンス手段は直線移動になるので、移動距離を短くできメンテナンス後、印字への切換が早くできる。
【００２２】
請求項３に記載の発明によれば、前記ヘッドメンテナンス手段は、前記ベルト搬送手段を挟んで前記記録ヘッドに対向する位置に設置されていて、前記ベルト搬送手段のローラの少なくとも一方のローラを搬送方向上流側又は下流側に移動させることで前記記録ヘッドとヘッドメンテナンス手段との間が開放状態になるので、メンテナンスが可能となる。請求項１に記載の発明と同様の効果が得られる。
【００２３】
請求項４に記載の発明によれば、前記ヘッドメンテナンス手段は、前記ベルト搬送手段を挟んで前記記録ヘッドと反対側の位置に設置されていて、前記ベルト搬送手段の一方のローラを回動させることで前記記録ヘッドとヘッドメンテナンス手段との間が開放状態になるので、メンテナンスが可能となる。記録ヘッドを移動せず、ヘッドメンテナンス手段を記録ヘッドに近づけてメンテナンスを行うことで記録ヘッドのインク水頭値に影響を与えないのでインクが飛び散ったり、メニスカスブレイクを発生させないし、インクのチューブ配管を固定できるので、チューブの折れ曲がりが起こらない。さらに配管に金属材料を用いることが可能となりエアーの混入が防止できる。
【００２４】
請求項５に記載の発明によれば、前記搬送手段は、搬送方向下流になるほど低くなっていることで、記録紙はジャムを発生することなく、停滞せずに下流の搬送手段に送られる。
【００２５】
請求項６に記載の発明によれば、前記記録ヘッドの全吐出口からインクを吐出させる回復処理を行うことで、印字時に吐出しなかった吐出口のインクの乾きによる吐出詰まりやインクの出射曲がりを防止できる。
【００２６】
請求項７に記載の発明によれば、前記記録ヘッドの吐出口を大気から密閉する回復処理を行うことで、吐出口のインクの乾きを防ぎ吐出詰まりやインクの出射曲がりを防止できる。
【００２７】
請求項８に記載の発明によれば、前記記録ヘッドの吐出口からインクを吸引する回復処理を行うことで、吐出口の増粘したインクやゴミ、塵の異物を吸い出し、吐出詰まりやインクの出射曲がりを防止できる。
【００２８】
請求項９に記載の発明によれば、前記記録ヘッドの吐出口の面をローラまたはブレードで払拭する回復処理を行うことで、吐出口周辺のインク溜まりやゴミ、塵の異物を拭き取り、吐出詰まりやインクの出射曲がりを防止できる。
【発明を実施するための最良の形態】
【００２９】
以下、図面に基づき本発明の実施の形態を説明する。
【００３０】
図１により本発明に係るインクジェット記録装置の構成について説明する。
【００３１】
１はインクジェット記録装置全体を示し、８は画像が記録された記録媒体（用紙）４１が排出され積載される排紙皿である。記録ヘッド１０、ヘッドメンテナンス手段２、操作部２５，搬送手段４０１〜４０５及び記録媒体４１が収納された記録媒体収納ユニット３が設けられてる。
【００３２】
なお、本実施の形態の説明を簡単にするために、インクジェット記録装置として必要な、例えば、インクのカートリッジやインクの流路等を備えたインク供給ユニットに関しては、図示及び詳細な説明を割愛した。
【００３３】
制御部ＥＣは、例えば、ＣＰＵに記憶されたプログラムに従い、インクジェット記録装置を構成する各種手段を作動させ、原稿の画像情報を読取り、または、インターフェース（図示せず）を介して外部の情報機器から画像情報等を入力し、その情報を記憶し、そして記録媒体に記録して出力する一連の画像情報記録制御を実行させるプリンタ機能や、プリンタ機能を確実に実行できるように各種手段の調整や保全等を行うメンテナンス機能を備えている。
【００３４】
記録ヘッド１０は、詳細は後述するが、例えば、シアン（Ｃ）、マゼンタ（Ｍ）、イエロー（Ｙ）、黒（ＢＫ）のそれぞれのインクを吐出するために、複数のインク吐出口を備えたヘッドユニット１０１〜１０４が４色分設けられ、更に、図示はしないが、例えば、それぞれのヘッドユニット１０１〜１０４に対応したインクカートリッジやインク吐出作動を行わせるための駆動回路等が一体的に組み込まれている。
【００３５】
メンテナンス手段２は、印字作動をしばらく中断する場合などに、記録ヘッド１０のインク吐出口にホコリやゴミが付着したり、あるいはインクが乾燥して目詰まり状態にならないようにインク吐出口付近を覆うキャップを取り付けたり、あるいは、印字作動を中断した後の次の印字作動開始前に、または、一定期間毎に、インク吐出口からインクを吐出させたり、インク吐出口を清掃したりして、目詰まり状態を回復させて正常なインク吐出動作ができるようにしている。
【００３６】
搬送手段４０１〜４０５は、記録媒体収納ユニット３に収納されている記録媒体４１（用紙ともいう。）を１枚ずつ取り出し、記録ヘッド１０の方向に給紙搬送し、画像が記録された記録媒体４１を排紙皿８に向けて排紙搬送するようになっている。
【００３７】
搬送手段４０１〜４０５の動作は、まず、記録媒体収納ユニット３に収納されている記録媒体４１を送り出しローラＲ１により１枚ずつ取り出す。取り出された記録媒体４１を１対のローラＲ２が給紙搬送ガイド５を経て１対のローラＲ３方向に送る。ローラＲ３に挟持された記録媒体は更にベルト７，ローラＲ４及びローラＲ５からなる搬送手段４０１へと送られる。
【００３８】
記録媒体を一定した速度で安定して搬送するために、ベルト７はローラＲ４とローラＲ５により懸架されており、ローラＲ４が図示せぬステッピングモータ等の駆動源により回転するとベルト７も回転するようになっている。
【００３９】
搬送手段４０１〜４０５を介して搬送される記録媒体４１は、記録ヘッド１０１〜１０４に対向して、一定の速度で搬送されながら画像が記録される。
【００４０】
その後、排紙搬送動作が実行され、画像が記録された記録媒体４１が最終段の搬送手段４０５により排紙搬送ガイド６に送られてくると、１対のローラＲ７により挟持され排紙皿８へと排紙されるようになっている。
【００４１】
（実施の形態１）
図２（ａ）及び（ｂ）を用いて図１のインクジェット記録装置における本発明のガイド部開閉による記録ヘッド１０１の回復動作について説明する。
【００４２】
搬送手段４０１〜４０５は、ローラＲ４、ローラＲ５およびベルト７からなっており、搬送手段４０１〜４０５の間にあって記録媒体をガイドするガイド部９と、ヘッドメンテナンス手段２０１〜２０４はガイド部９を挟んで記録ヘッド１０１〜１０４の吐出口が対向する位置に配置されており、記録媒体４１は搬送手段４０１から４０５の方向に送られる。
【００４３】
図２（ａ）では、ガイド部９が閉の状態で、記録媒体４１は搬送手段上を送られながら記録ヘッドにより画像などが印字される。
【００４４】
図２（ｂ）では、記録ヘッドの回復処理を行う場合の状態である。搬送手段４０１と搬送手段４０２の間に位置するガイド部材９１は図示しないガイド部材移動手段によって搬送方向に対して略垂直方向に開かれる。次にヘッドメンテナンス手段２０１が移動手段（不図示）によって矢印の方向に上昇され、記録ヘッド１０１の回復処理が行われる。ヘッド回復処理終了後、ヘッドメンテナンス手段２０１とガイド部材９１とは図２（ａ）の状態に戻され、印字が継続される。
【００４５】
ここで、ヘッド回復処理について説明する。
【００４６】
ヘッドメンテナンス手段２は、記録ヘッドのインク吐出口周辺に付着したゴミやミスト、インク吐出口やヘッド圧力室のインクの増粘によってインク滴が吐出しないとか、インク滴が曲がって吐出する等の不具合の発生を回復、防止する回復処理を行う。
【００４７】
回復処理には、１．記録ヘッドの全吐出口からインクを複数回吐出して吐出口の増粘したインクやヘッド圧力室に滞留する増粘したインクを排出する、
２．長時間インクを吐出しないとき、記録ヘッドの吐出口を大気から密閉し吐出口が乾いたり、ヘッドに滞留するインクが増粘したりするのを防ぐ、
３．記録ヘッドの吐出口が乾いたり、インクが増粘したため、インク滴が吐出しなくなったり、インク滴の出射が曲がったりしたとき、記録ヘッドの吐出口からインクを吸引して吐出口をインクで連通させたり、増粘したインクを排出して吐出口の詰まりやインク滴の吐出曲がりを回復する、
４．記録ヘッドの吐出口の周辺に付着しているゴミやミストによってインク滴が吐出されなかったり、インク滴が曲がって吐出されたりしたとき、ゴム様のローラやブレードでヘッドの吐出口面を払拭してゴミやミストを取り除く、等がある。
【００４８】
（実施の形態２）
図３（ａ）及び（ｂ）を用いて図１のインクジェット記録装置における本発明の搬送手段のローラ移動によるヘッド回復動作について説明する。
【００４９】
搬送手段４０２〜４０５は、ローラＲ４、ローラＲ５、ローラＲ６およびベルト７からなっており、ヘッドメンテナンス手段２０１〜２０４は搬送手段４０２〜４０５を挟んで記録ヘッド１０１〜１０４の吐出口が対向する位置に配置されている。記録媒体４１は搬送手段４０１から４０５の方向に送られる。
【００５０】
図３（ａ）では、記録ヘッド１０１とヘッドメンテナンス手段２０１との間が開放でない状態で、記録媒体４１は搬送手段上を送られながら記録ヘッドにより画像などが印字される。
【００５１】
図３（ｂ）では、記録ヘッド１０１の回復処理を行う場合の状態である。搬送手段４０２のローラＲ４とローラＲ６が図示しない移動手段によって矢印の方向に移動され、記録ヘッド１０１とヘッドメンテナンス手段２０１との間が開放状態になる。次にヘッドメンテナンス手段２０１は移動手段（不図示）により矢印の方向に上昇され記録ヘッド１０１の回復処理を行われる。ヘッド回復処理終了後、ヘッドメンテナンス手段２０１と搬送手段４０２のローラＲ４及びローラＲ６とは図３（ａ）の状態に戻され、印字が継続される。
【００５２】
（実施の形態３）
図４（ａ）、（ｂ）及び（ｃ）を用いて図１のインクジェット記録装置における本発明の搬送手段のローラ回動によるヘッド回復動作について説明する。
【００５３】
搬送手段４０１〜４０５は、ローラＲ４、ローラＲ５およびベルト７からなっており、ヘッドメンテナンス手段２０１〜２０４は搬送手段４０２〜４０５を挟んで記録ヘッド１０１〜１０４の吐出口と反対側の位置に配置されている。記録媒体４１は搬送手段４０１から４０５の方向に送られる。
【００５４】
図４（ａ）では、記録ヘッド１０１とヘッドメンテナンス手段２０１との間が開放でない状態で、記録媒体４１は搬送手段上を送られながら記録ヘッドにより画像などが印字される。
【００５５】
図４（ｂ）では、第２の搬送手段４０２が図示しない移動手段によって矢印の方向に回動され、記録ヘッド１０１とヘッドメンテナンス手段２０１との間が開放状態になる。
【００５６】
図４（ｃ）では、記録ヘッドの回復処理を行う場合の状態である。ヘッドメンテナンス手段２０１は移動手段（不図示）により矢印の方向に移動され、記録ヘッドの回復処理が行われる。ヘッド回復処理終了後、ヘッドメンテナンス手段２０１と搬送手段４０２とは移動手段（不図示）により図４（ａ）の状態に戻され、印字が継続される。
【００５７】
（実施の形態４）
図５を用いて図１のインクジェット記録装置における本発明の搬送手段の段差による搬送不良防止について説明する。
【００５８】
搬送手段４０１と４０２は、それぞれローラＲ４、ローラＲ５およびベルト７が図５に示す配置にあり、搬送手段４０１と４０２の間にあって記録媒体をガイドするガイド部９が配置されている。記録媒体４１は搬送手段４０１から４０２の方向に搬送手段上を送られながら記録ヘッドにより画像などが印字される。搬送手段４０１のベルト７表面とガイド部９の表面との高低差ｈ１とガイド部９の表面と搬送手段４０２のベルト７表面との高低差ｈ２を持つことにより記録媒体のガイド部９や搬送手段４０２での引っかかりを防ぎ、搬送不良は低減する。
【００５９】
その他、インクジェット記録装置を構成する各構成の細部構成及び細部動作に関しても、本発明の趣旨を逸脱することのない範囲で適宜変更可能である。
【図面の簡単な説明】
【００６０】
【図１】本発明に係るインクジェット記録装置の主要部の構成を示す概略図である。
【図２】本発明のガイド部の開閉による実施の形態の一例を示す概略図である。
【図３】本発明のローラの移動による実施の形態の一例を示す概略図である。
【図４】本発明のローラの回動による実施の形態の一例を示す概略図である。
【図５】本発明の搬送手段の高低差による実施の形態の一例を示す概略図である。
【符号の説明】
【００６１】
１  インクジェット記録装置
２  ヘッドメンテナンス手段
９  ガイド部
１０  記録ヘッド
４１  記録媒体
９１  ガイド部材
１０１〜１０４  記録ヘッド
２０１〜２０４  ヘッドメンテナンス手段
４０１〜４０５  搬送手段
【図１】
2006256023.tif 000003
【図２】
2006256023.tif 000004
【図３】
2006256023.tif 000005
【図４】
2006256023.tif 000006
【図５】
2006256023.tif 000007